(57)【要約】【課題】車両の運転モードが自動運転モードと手動運転モードとの間で切り替わる時の情報を記録することができる情報記録装置および情報記録方法を提供すること。【解決手段】車両の運転モードを取得し、車両の運転操作を自動運転装置が自動的に実施する運転モードである自動運転モードと、車両の運転操作を車両の運転者が実施する運転モードである手動運転モードとの間の切り替えを検出する運転モード検出部と、自動運転モードと手動運転モードとの間の少なくとも切り替え時から所定時間経過するまでの車両の内部の状況を示す車内状況情報を記録する情報記録部と、を備えるよう、情報記録装置を構成する。【選択図】図１
2019139291.tif 000002
【特許請求の範囲】
【請求項１】
車両の運転モードを取得し、前記車両の運転操作を自動運転装置が自動的に実施する前記運転モードである自動運転モードと、前記車両の運転操作を前記車両の運転者が実施する前記運転モードである手動運転モードとの間の切り替えを検出する運転モード検出部と、
前記自動運転モードと前記手動運転モードとの間の少なくとも切り替え時から所定時間経過するまでの前記車両の内部の状況を示す車内状況情報を記録する情報記録部と、
を備える情報記録装置。
【請求項２】
前記情報記録部は、少なくとも前記自動運転モードから前記手動運転モードへの切り替え時から第１の時間経過するまでの前記車内状況情報を記録し、少なくとも前記手動運転モードから前記自動運転モードへの切り替え時から前記第１の時間より短い第２の時間経過するまでの前記車内状況情報を記録する、請求項１に記載の情報記録装置。
【請求項３】
前記情報記録部は、記録された情報の容量が上限値に達すると記録済みの情報を上書きして新たな情報が記録される第１記録部と、記録された情報の容量が上限値に達すると新たな情報が記録されない第２記録部とを備え、
前記情報記録部は、前記運転モードの切り替えが検出されないとき前記車両の外部の状況を示す車外状況情報を前記第１記録部に記録し、少なくとも前記自動運転モードと前記手動運転モードとの間の切り替え時から所定時間経過するまでの前記車内状況情報を前記第２記録部に記録する、請求項１または２に記載の情報記録装置。
【請求項４】
前記情報記録部は、前記運転モードが前記自動運転モードのとき、前記車内状況情報を前記第１記録部に記録し、前記運転モードが前記自動運転モードから前記手動運転モードに切り替わると、前記自動運転モードから前記手動運転モードに切り替わる前における所定時間分の前記第１記録部に記録された前記車内状況情報を前記第２記録部に記録する、請求項３に記載の情報記録装置。
【請求項５】
前記車外状況情報は、前記車両の外部の画像を含む、請求項３または４に記載の情報記録装置。
【請求項６】
前記車内状況情報は、前記車両の内部の画像を含む、請求項１ないし５のいずれか一項に記載の情報記録装置。
【請求項７】
前記運転モード検出部は、前記車両の内部の画像に基づいて前記車両の運転モードを検出する、請求項６に記載の情報記録装置。
【請求項８】
前記車内状況情報は、前記車両の内部の音声を含む、請求項１ないし７のいずれか一項に記載の情報記録装置。
【請求項９】
前記車内状況情報は、前記車両の運転操作の実施状態を示す車両制御情報を含む、請求項１ないし８のいずれか一項に記載の情報記録装置。
【請求項１０】
車両の運転モードを取得し、前記車両の運転操作を自動運転装置が自動的に実施する前記運転モードである自動運転モードと、前記車両の運転操作を前記車両の運転者が実施する前記運転モードである手動運転モードとの間の切り替えを検出する運転モード検出ステップと、
前記自動運転モードと前記手動運転モードとの間の少なくとも切り替え時から所定時間経過するまでの前記車両の内部の状況を示す車内状況情報を記録する記録ステップと、
を含む情報記録方法。
【発明の詳細な説明】
【技術分野】
【０００１】
本発明は、車両の外部および内部の情報を記録する情報記録装置および情報記録方法に関する。
【背景技術】
【０００２】
車両に搭載され、車両の外部および内部の画像を取得し、記録するドライブレコーダが利用されている。ドライブレコーダによって記録された車両の外部および内部の画像により、事故や故障などの異常が発生した前後の状況を確認することが可能となる。
【０００３】
また、運転者に代わって車両の運転操作を実施する自動運転装置が開発されている。自動運転装置による運転操作が実施可能な状況では、運転者は運転から解放され、自動運転装置が運転操作を実施する。一方、自動運転装置による運転操作が実施できない状況では、運転者が運転操作を実施する。
【０００４】
このように、自動運転装置による自動運転が可能な車両では、運転操作の主体が走行途中で変更される場合があり、異常が発生した場合にその責任の所在を明確にすることが求められる。
【０００５】
例えば、特許文献１には、自動運転と手動運転の間のステータス変更を予告する信号が伝達された際に、運転者操作データまたは車内用カメラの画像をローテーションメモリに記録するドライバー・アシスタント・システムが記載されている。
【０００６】
また、特許文献２には、自動運転中の時刻とその時刻において選択された自動運転レベルを記憶する自動運転システムが記載されている。
【先行技術文献】
【特許文献】
【０００７】
【特許文献１】特表２０１７−５１７７８７号公報
【特許文献２】国際公開第２０１６／０８００７０号
【発明の概要】
【発明が解決しようとする課題】
【０００８】
特許文献１のドライバー・アシスタント・システムでは、自動運転と手動運転との間の切替時に記録される運転操作データや車内画像により、異常発生時の状況を把握することができる。
【０００９】
しかし、特許文献１のドライバー・アシスタント・システムでは、運転操作データや車内画像は記録領域がフルになると古いデータから上書きされるローテーションメモリに記録される。そのため、自動運転と手動運転との間の切替が複数回発生すると、古い切替時のデータは上書きされて確認することができなくなる場合がある。
【００１０】
特許文献２の自動運転システムでは、自動運転中の時刻とその時刻における自動運転レベルとを記憶しているため、異常発生時点での自動運転レベルを把握することができる。
【００１１】
しかし、特許文献２の自動運転システムでは、自動運転中に継続して自動運転レベルを記憶している。正常に自動運転が実施されている間は責任の所在の明確化は不要であり、必要のない情報によって必要な情報の記録領域が圧迫され、異常発生時の自動運転レベルが記憶できなくなる場合がある。
【００１２】
本発明は、車両の運転モードが自動運転モードと手動運転モードとの間で切り替わる時の情報を記録することができる情報記録装置および情報記録方法を提供することを目的とする。
【課題を解決するための手段】
【００１３】
本発明にかかる情報記録装置は、車両の運転モードを取得し、車両の運転操作を自動運転装置が自動的に実施する運転モードである自動運転モードと、車両の運転操作を車両の運転者が実施する運転モードである手動運転モードとの間の切り替えを検出する運転モード検出部と、自動運転モードと手動運転モードとの間の少なくとも切り替え時から所定時間経過するまでの車両の内部の状況を示す車内状況情報を記録する情報記録部と、を備えることを特徴とする。
【００１４】
また、本発明にかかる情報記録装置では、情報記録部は、少なくとも自動運転モードから手動運転モードへの切り替え時から第１の時間経過するまでの車内状況情報を記録し、少なくとも手動運転モードから自動運転モードへの切り替え時から第１の時間より短い第２の時間経過するまでの車内状況情報を記録することが好ましい。
【００１５】
また、本発明にかかる情報記録装置では、情報記録部は、記録された情報の容量が上限値に達すると記録済みの情報を上書きして新たな情報が記録される第１記録部と、記録された情報の容量が上限値に達すると新たな情報が記録されない第２記録部とを備え、情報記録部は、運転モードの切り替えが検出されないとき車両の外部の状況を示す車外状況情報を第１記録部に記録し、少なくとも自動運転モードと手動運転モードとの間の切り替え時から所定時間経過するまでの車内状況情報を第２記録部に記録することが好ましい。
【００１６】
また、本発明にかかる情報記録装置では、情報記録部は、運転モードが自動運転モードのとき、車内状況情報を第１記録部に記録し、運転モードが自動運転モードから手動運転モードに切り替わると、自動運転モードから手動運転モードに切り替わる前における所定時間分の第１記録部に記録された車内状況情報を第２記録部に記録することが好ましい。
【００１７】
また、本発明にかかる情報記録装置では、車外状況情報は、車両の外部の画像を含むことが好ましい。
【００１８】
また、本発明にかかる情報記録装置では、車内状況情報は、車両の内部の画像を含むことが好ましい。
【００１９】
また、本発明にかかる情報記録装置では、運転モード検出部は、車両の内部の画像に基づいて車両の運転モードを検出することが好ましい。
【００２０】
また、本発明にかかる情報記録装置では、車内状況情報は、車両の内部の音声を含むことが好ましい。
【００２１】
また、本発明にかかる情報記録装置では、車内状況情報は、車両の運転操作の実施状態を示す車両制御情報を含むことが好ましい。
【００２２】
さらに、本発明にかかる情報記録方法は、車両の運転モードを取得し、車両の運転操作を自動運転装置が自動的に実施する運転モードである自動運転モードと、車両の運転操作を車両の運転者が実施する運転モードである手動運転モードとの間の切り替えを検出する運転モード検出ステップと、自動運転モードと手動運転モードとの間の少なくとも切り替え時から所定時間経過するまでの車両の内部の状況を示す車内状況情報を記録する記録ステップと、を含むことを特徴とする。
【発明の効果】
【００２３】
上記の情報記録装置によれば、車両の運転モードが自動運転モードと手動運転モードとの間で切り替わる時の情報を記録することができ、異常発生時の状況の適切な把握が可能となる。
【００２４】
また、上記の情報記録方法によれば、車両の運転モードが自動運転モードと手動運転モードとの間で切り替わる時の情報を記録することができ、異常発生時の状況の適切な把握が可能となる。
【図面の簡単な説明】
【００２５】
【図１】実施形態にかかる情報記録装置の動作を説明するための図である。
【図２】第１実施形態にかかる情報記録装置を搭載した車両のハードウェア構成図である。
【図３】第１実施形態にかかる情報記録装置の機能ブロック図である。
【図４】（ａ）は車内状況情報の例を示す模式図であり、（ｂ）は車内状況情報の他の例を示す模式図である。
【図５】第１実施形態にかかる情報記録装置の処理を示すフローチャートである。
【図６】第１実施形態にかかる情報記録装置での車内状況情報の記録について説明する図である。
【図７】第２実施形態にかかる情報記録装置を搭載した車両のハードウェア構成図である。
【図８】第２実施形態にかかる情報記録装置の機能ブロック図である。
【図９】（ａ）は自動運転モードから手動運転モードに切り替わるまでの車内状況情報の記録について説明する図であり、（ｂ）は自動運転モードから手動運転モードに切り替わった後の車内状況情報の記録について説明する図である。
【図１０】車外状況情報の例を示す模式図である。
【図１１】（ａ）は車内状況情報および車外状況情報の例を示す模式図であり、（ｂ）は車内状況情報および車外状況情報の他の例を示す模式図である。
【発明を実施するための形態】
【００２６】
以下、図面を参照して情報記録装置について詳細に説明する。ただし、本発明は図面または以下に記載される実施形態には限定されないことを理解されたい。
【００２７】
図１は、実施形態にかかる情報記録装置の動作を説明するための図である。
【００２８】
実施形態にかかる情報記録装置は、運転モードが自動運転モードと手動運転モードとの間で切り替わる車両に搭載されている。図１は、時刻ｔ0において、車両１の運転モードの自動運転モードから手動運転モードに切り替わり、その後の時刻ｔ2において、手動運転モードから自動運転モードに切り替わったことを示している。
【００２９】
実施形態にかかる情報記録装置は、車両１の運転モードが切り替わった時刻ｔ0および時刻ｔ2から所定時間、車内状況情報を記録する。情報処理装置は、このように動作することにより、異常の発生しやすい運転モード切り替え時における車内の状況を記録し、後で状況を把握することを可能にしている。
【００３０】
図２は、第１実施形態にかかる情報記録装置を搭載した車両のハードウェア構成図である。
【００３１】
車両１は、自動運転装置１０および情報記録装置３０を有する。
【００３２】
自動運転装置１０には、レーダ１１、前方カメラ１２、後方カメラ１３、車速センサ１４、Ｇセンサ１５、ＧＰＳ受信機１６、ＥＣＵ（Electronic Control Unit）１７およびディスプレイ１８が接続されている。
【００３３】
レーダ１１は、ミリ波を車両１の周囲に照射し、物体に反射される電波を検出する。レーダ１１により、自動運転装置１０は、車両１から物体までの距離および方向を検出することができる。
【００３４】
前方カメラ１２は、車両１の前方に向けて設置され、車両の前方を撮像する。前方カメラ１２により、自動運転装置１０は、車両１の前方にある対象物を認識することができる。
【００３５】
後方カメラ１３は、車両１の後方に向けて設置され、車両の後方を撮像する。後方カメラ１３により、自動運転装置１０は、車両１の後方にある対象物を認識することができる。
【００３６】
車速センサ１４は、車両１の走行速度を検出する。車両１の走行速度は、例えば所定時間内に検出された車軸の回転数に基づき検出することができる。
【００３７】
Ｇセンサ１５は、所定の方向において車両１に加えられる加速度を検出する。Ｇセンサ１５により、自動運転装置１０は、車両１の加減速の推移を検出することができる。
【００３８】
ＧＰＳ受信機１６は、受信したＧＰＳ(Global Positioning System）衛星からの信号に基づいて現在位置を特定する。ＧＰＳ受信機１６により、自動運転装置１０は、車両１の現在位置を検出することができる。ＧＰＳ受信機１６が受信する信号はＧＰＳ衛星からのものに限定されず、GLONASS、Galileo、Compassなどの衛星測位システムに含まれる衛星からの信号であればよい。
【００３９】
ＥＣＵ１７は、プロセッサ、メモリおよび通信インタフェースを有する情報処理装置である。ＥＣＵ１７は、車両１の変速機、エンジン、ブレーキ、ステアリングおよびパーキングブレーキと通信インタフェースを介して接続されており、車両１の変速機、エンジン、ブレーキ、ステアリングおよびパーキングブレーキの動作を電子的に制御する。ＥＣＵ１７は、複数のプロセッサで実現されてもよく、専用回路により実現されてもよい。
【００４０】
ＥＣＵ１７は、車両１の変速機の動作を制御する。自動運転装置１０は、所定の信号をＥＣＵ１７に出力することにより、車両１の変速機を所望の状態に変更することができる。
【００４１】
ＥＣＵ１７は、車両１のエンジンの出力を制御する。自動運転装置１０は、所定の信号をＥＣＵ１７に出力することにより、車両１のエンジンの出力を所望の量に変更することができる。車両１のエンジンは、石油燃料で動作するガソリンエンジンやディーゼルエンジンに限られず、電気で動作するモータであってもよい。
【００４２】
ＥＣＵ１７は、車両１のブレーキを制御する。自動運転装置１０は、所定の信号をＥＣＵ１７に出力することによりブレーキを作動させ、車両１の速度を減速させることができる。
【００４３】
ＥＣＵ１７は、車両１のステアリングを制御する。自動運転装置１０は、所定の信号をＥＣＵ１７に出力することにより、車両１のステアリングを制御し、進行方向を変更することができる。
【００４４】
ＥＣＵ１７は、車両１のパーキングブレーキを制御する。自動運転装置１０は、所定の信号をＥＣＵ１７に出力することにより、車両１の車輪を停止した状態で固定することができる。
【００４５】
ディスプレイ１８は、自動運転装置１０の動作状態を車両１の運転者に対して表示する。ディスプレイ１８は、液晶表示パネルにより、動作状態を運転者に対し視認可能に表示する。また、ディスプレイ１８は、スピーカにより、動作状態を運転者に対し聞き取り可能に表示してもよい。
【００４６】
自動運転装置１０が運転操作を実施するとき、レーダ１１、前方カメラ１２、後方カメラ１３、車速センサ１４、Ｇセンサ１５およびＧＰＳ受信機１６により取得した情報に基づいて自動運転装置１０の出力する信号がＥＣＵ１７に入力される（自動運転モード）。
【００４７】
車両１の運転者が運転操作を実施するとき、運転者の操作に応じた信号が、シフトレバー、アクセルペダル、ブレーキペダル、ハンドルおよびパーキングブレーキレバーに対する操作を検出するセンサから出力され、ＥＣＵ１７に入力される（手動運転モード）。
【００４８】
レーダ１１、前方カメラ１２、後方カメラ１３、車速センサ１４、Ｇセンサ１５およびＧＰＳ受信機１６により取得した情報に基づき、自動運転の継続が適切でないと判断される場合、自動運転装置１０は、運転モードを自動運転モードから手動運転モードに切り替えて、運転操作を車両１の運転者に引き継ぐ。
【００４９】
手動運転モードにおいて、レーダ１１、前方カメラ１２、後方カメラ１３、車速センサ１４、Ｇセンサ１５およびＧＰＳ受信機１６により取得した情報に基づき、自動運転の実施が可能と判断される場合、自動運転装置１０は、運転モードを手動運転モードから自動運転モードに切り替えて、運転操作を車両１の運転者から引き継ぐ。
【００５０】
情報記録装置３０は、車両１の内部または外部の情報を記録する装置である。情報記録装置３０は、プロセッサ３１、メインメモリ３２、不揮発メモリ３３およびインタフェース３４を有する。
【００５１】
プロセッサ３１は、命令に基づき演算を実行する集積回路であり、例えばＣＰＵ（Central Processing Unit）で実現することができる。
【００５２】
メインメモリ３２は、プロセッサ３１により実行される一連の命令であるプログラムを記憶可能なメモリであり、例えばＤＲＡＭなどの揮発性記憶デバイスにより実現することができる。
【００５３】
不揮発メモリ３３は、プロセッサ３１により実行される命令の処理対象や処理結果となるデータを記憶可能なメモリであり、例えばハードディスクドライブやフラッシュメモリといった不揮発性記憶デバイスにより実現することができる。
【００５４】
インタフェース３４は、外部機器との接続のためのコネクタであり、例えばＣＡＮ（Controller Area Network）やシリアル通信といった規格による接続を提供する。
【００５５】
情報記録装置３０は、不揮発メモリ３３に保存されたプログラムをメインメモリ３２に展開し、展開されたプログラムをプロセッサ３１が実行し、インタフェース３４を介して外部機器と通信することにより、種々の処理を実行する。
【００５６】
情報記録装置３０には、インタフェース３４を介して車内カメラ３５が接続されている。
【００５７】
車内カメラ３５は、車両１の内部の状況を示す車内状況情報である画像を取得する。車内カメラ３５は、車両１の運転者を含む車両１の居室内の画像に対応する電子データを出力する。
【００５８】
図３は、第１実施形態にかかる情報記録装置の機能ブロック図である。
【００５９】
情報記録装置３０は、機能ブロックとして、運転モード検出部３１０と情報記録部３２０とを有する。運転モード検出部３１０および情報記録部３２０は、所定のプログラムをプロセッサ３１で実行することにより実現することができる。運転モード検出部３１０および情報記録部３２０は、専用回路により実現されてもよい。
【００６０】
運転モード検出部３１０は、車両１の運転モードを取得し、運転モードが自動運転モードと手動運転モードとの間での切り替えを検出する。
【００６１】
より詳細には、運転モード検出部３１０は、インタフェース３４を介して接続された自動運転装置１０から運転モードを取得する。また、運転モード検出部３１０は、前回取得した運転モードと比較して切り替えを検出する。
【００６２】
情報記録部３２０は、車両１の運転モードが自動運転モードと手動運転モードとの間で切り替わってから所定時間経過するまでの車両１の車内状況情報を記録する。
【００６３】
より詳細には、情報記録部３２０は、インタフェース３４を介して接続された車内カメラ３５により取得された車内状況情報を不揮発メモリ３３に記録する。
【００６４】
情報記録部３２０がこのように車内状況情報を記録することにより、異常の発生しやすい運転モード切り替え時における車内の情報を記録することができる。
【００６５】
車内状況情報は、車内カメラ３５により取得される車両１の内部の画像を含んでよい。このような車内状況情報を記録することにより、情報記録装置３０は、車内の状況を画像で確認可能としている。
【００６６】
図４（ａ）は車内状況情報の例を示す模式図であり、図４（ｂ）は車内状況情報の他の例を示す模式図である。
【００６７】
図４（ａ）および図４（ｂ）は、いずれも車両１の車室内前方の上部から車両１の運転者を撮像したときの画像を示している。図４（ａ）では、運転者は手でハンドルを保持して前方を注視しており、自動運転モードからの引き継ぎに適した状況と言える。一方、図４（ｂ）では、運転者は手でハンドルを保持しているものの、前方を見ておらず、自動運転モードからの引き継ぎに不適な状況と言える。
【００６８】
図５は、第１実施形態にかかる情報記録装置の処理を示すフローチャートである。
【００６９】
情報記録装置３０は、まず、インタフェース３４を介して車両１の運転モードを取得する（ステップＳ１）。
【００７０】
続いて、運転モード検出部３１０は、車両１の運転モードの自動運転モードと手動運転モードとの間の切り替えを検出する（ステップＳ２）。運転モード検出部３１０は、運転モードの切り替えを、１回前のステップＳ１で取得した運転モードと直近のステップＳ１で取得した運転モードとを比較することにより行う。
【００７１】
運転モード検出部３１０は、車両１の運転モードの自動運転モードと手動運転モードとの間の切り替えが検出されたか否かを判断する（ステップＳ３）。
【００７２】
車両１の運転モードの切り替えが検出されると（ステップＳ３：Ｙ）、情報記録部３２０は、運転モードの切り替えから所定時間経過するまでの車内状況情報を記録する（ステップＳ４）。その後、情報記録装置３０の処理はステップＳ１に戻り、運転モード検出部３１０が車両１の運転モードの取得を行う。
【００７３】
車両１の運転モードの切り替えが検出されないと（ステップＳ３：Ｎ）、情報記録装置３０の処理はステップＳ１に戻り、運転モード検出部３１０が車両１の運転モードの取得を行う。
【００７４】
情報記録装置３０は、手動運転モードにおいて情報記録部３２０が車内状況情報を記録しないよう構成することができる。手動運転モードにおいて車内状況情報を記録しない情報記録装置３０は、異常確認の観点から必要な車内状況情報のみを記録するので、プライバシー保護等の観点から車内状況情報の記録を希望しない車両１の乗員であっても安心して利用することができる。
【００７５】
図６は、第１実施形態にかかる情報記録装置での車内状況情報の記録について説明する図である。
【００７６】
図６は、時刻ｔ0において、車両１の運転モードの自動運転モードから手動運転モードへの切り替えが検出され、その後の時刻ｔ2において、手動運転モードから自動運転モードへの切り替えが検出されたことを示している。
【００７７】
この場合、時刻ｔ0から時刻ｔ1までの時間範囲ｄ1における車内状況情報が情報記録部３２０により記録される。また、時刻ｔ2から時刻ｔ3までの時間範囲ｄ2における車内状況情報が情報記録部３２０により記録される。
【００７８】
自動運転モードから手動運転モードに運転モードが切り替わるとき、運転者は自ら意識して運転操作を実施することのできる状態であることが必要である。したがって、運転モードの切り替えにあたって、運転者が運転操作を実施することのできる状態であるか否かを確認するため、車内の状況を取得しておくことが好ましい。
【００７９】
手動運転モードから自動運転モードに運転モードが切り替わるとき、運転者は自ら意識して運転操作を実施している状態であると推定できる。したがって、運転モードの切り替えにあたって、車内の状況を考慮する必要性は、自動運転モードから手動運転モードに切り替わるときよりも小さい。
【００８０】
したがって、情報記録装置３０は、自動運転モードから手動運転モードへの切り替えの後に車内状況情報を記録する時間範囲ｄ1よりも、手動運転モードから自動運転モードへの切り替えの後に車内状況情報を記録する時間範囲ｄ2を短くしてよい。
【００８１】
このように、時間範囲ｄ1よりも時間範囲ｄ2を短くすることで、必要性の小さい情報の記録容量を削減することができるため、情報記録装置３０は、異常発生時の責任分担を明確にするために必要な情報をより確実に記録することができる。
【００８２】
図７は、第２実施形態にかかる情報記録装置を搭載した車両のハードウェア構成図である。図８は、第２実施形態にかかる情報記録装置の機能ブロック図である。
【００８３】
車両２は、情報記録装置３０に代えて情報記録装置３０′を有する点が車両１と相違する。情報記録装置３０′には、インタフェース３４を介して、車内カメラ３５に加えて車外カメラ３６およびマイク３７が接続されている。情報記録装置３０′、車外カメラ３６およびマイク３７以外の車両２の構成要素の構成および機能は、同一符号が付された車両１の構成要素の構成および機能と同一なので、詳細な説明を省略する。
【００８４】
車外カメラ３６は、車両１の外部の状況を示す車外状況情報を取得する。車外カメラ３６は、車両１の居室外の画像に対応する電子データを出力する。
【００８５】
マイク３７は、車両１の内部の状況を示す車内状況情報である音声を取得する。マイク３７は、車両１の居室内の音声に対応する電子データを出力する。
【００８６】
情報記録装置３０′は、情報記録部３２０に代えて情報記録部３２０′を有する点が情報記録装置３０と相違する。情報記録部３２０′は、第１記録部３２１と第２記録部３２２とを有する点が情報記録部３２０と相違する。
【００８７】
第１記録部３２１は、記録された情報の容量が上限値に達すると記録済みの情報を上書きして新たな情報が記録される記録領域である。
【００８８】
第１記録部３２１は、所定のプログラムの実行によってプロセッサ３１を動作させ、不揮発メモリ３３の所定の領域に記録される情報の量を管理し、上限値に達すると所定のルールで記録済みの情報を削除して新たな情報を記録するよう制御することにより構成することができる。所定のルールにより削除される記録済みの情報とは、例えば、最も古い情報である。
【００８９】
第２記録部３２２は、記録された情報の容量が上限値に達すると新たな情報が記録されない記録領域である。
【００９０】
第２記録部３２２は、所定のプログラムの実行によってプロセッサ３１を動作させ、不揮発メモリ３３の所定の領域に記録される情報の量を管理し、上限値に達すると新たな情報を記録しないよう制御することにより構成することができる。
【００９１】
第２記録部３２２は、記憶された情報の容量が上限値に達した後であっても、所定の条件を満たす情報、例えば緊急性の高い情報などについては、記録済みの情報を削除して記録するよう構成されていてもよい。
【００９２】
なお、不揮発メモリ３３の所定の領域とは、不揮発メモリ３３の記憶素子が特定されている必要はなく、例えばフォルダ構造における所定のフォルダにより、情報がその領域に記録されていることが特定できれば足りる。
【００９３】
情報記録部３２０′は、自動運転モードまたは手動運転モードのときに車両１の外部の状況を示す車外状況情報を第１記録部３２１に記録し、自動運転モードと手動運転モードとの間で切り替わってから所定時間経過するまでの車内状況情報を第２記録部３２２に記録してよい。
【００９４】
情報記録部３２０′がこのように記録することにより、通常運転時には車外の情報を一定時間まで記録し、異常の発生しやすい運転モード切り替え時には車内の情報を確実に保存可能な領域に記録することができる。
【００９５】
図９（ａ）は自動運転モードから手動運転モードに切り替わるまでの車内状況情報の記録について説明する図であり、図９（ｂ）は自動運転モードから手動運転モードに切り替わった後の車内状況情報の記録について説明する図である。
【００９６】
図９（ａ）は、時刻ｔ0に至るまで、車内状況情報が第１記録部３２１に記録されていることを示している。
【００９７】
図９（ｂ）は、時刻ｔ0において車両１の運転モードの自動運転モードから手動運転モードへの切り替えが検出された後、時刻ｔ0より前の時刻ｔ-1から時刻ｔ0までの時間範囲ｄ3に第１記録部３２１に記録された車内状況情報が、第２記録部３２２にコピーされ、記録されることを示している。
【００９８】
また、図９（ｂ）は、時刻ｔ0から時刻ｔ1までの時間範囲ｄ1における車内状況情報が第２記録部３２２に記録されることを示している。
【００９９】
情報記録部３２０′は、上述のように車内状況情報を記録するよう構成されてよい。このように情報記録部３２０′を構成すると、情報記録装置３０′は、自動運転モードから手動運転モードへの切り替えが検出されたときに、切り替え後とあわせて切り替え前の車内状況情報を記録することができる。これにより、情報記録装置３０′は、自動運転モードから手動運転モードへの切り替え時の状況をより適切に判断することを可能とする。
【０１００】
図１０は、車外状況情報の例を示す模式図である。
【０１０１】
図１０は、車両１の車室内前方の上部から車両１の前方外部を撮像したときの画像を示している。このような車外状況情報を記録することにより、撮像時点の道路および道路上の他の車両や歩行者の状況が確認可能となる。
【０１０２】
情報記録部３２０′は、車両１の内部の音声を含む車内状況情報を記録するよう構成されてよい。このような車内状況情報を記録することにより、情報記録装置３０′は、車内の状況を音声で確認可能とする。
【０１０３】
情報記録部３２０′は、車両１の運転操作の実施状態を示す車両制御情報を含む社内状況情報を記録するよう構成されてよい。車両制御情報とは、ＥＣＵ１７に対して入力される信号である。このような車内状況情報を記録することにより、情報記録装置３０′は、車両１の運転操作の状態を確認可能とする。
【０１０４】
図１１（ａ）は車内状況情報および車外状況情報の例を示す模式図であり、図１１（ｂ）は車内状況情報および車外状況情報の他の例を示す模式図である。
【０１０５】
図１１（ａ）および図１１（ｂ）は、いずれも車両１の車室内後方の上部に配置した車内カメラ３５により、車両１の運転者および車両１の前方外部を撮像したときの画像を示している。図１１（ａ）では、運転者は前方を注視しており、自動運転モードからの引き継ぎに適した状況と言える。一方、図１１（ｂ）では、運転者は手元の書籍を注視していて前方を見ておらず、自動運転モードからの引き継ぎに不適な状況と言える。
【０１０６】
このように、情報記録部３２０′は、車両１の車室内後方の上部から車両１の運転者および車両１の前方外部を撮像したときの画像を、車内状況情報および車外状況情報として記録するようにしてもよい。
【０１０７】
図１１（ａ）および図１１（ｂ）において、表示パネルＤに運転モードが表示されている。表示パネルＤは、ディスプレイ１８の一例である。
【０１０８】
運転モード検出部３１０は、所定のプログラム実行によってプロセッサ３１を動作させ、インタフェース３４を介して接続された車内カメラ３５により取得された車両１の居室内の画像に含まれる表示パネルＤの表示を分析して運転モードを取得するよう制御することによって実現可能である。
【０１０９】
一例として、運転モード検出部３１０はまず、車両１の居室内の画像から、表示パネルＤの周囲に設けられた所定のマーカに対応する領域を検出し、表示パネルＤの位置を特定する。続いて、運転モード検出部３１０は、表示パネルＤの位置に対応する領域において文字認識を実行する。運転モード検出部３１０は、文字認識において、「自動運転」の文字が認識されると車両１の運転モードが自動運転モードであり、「手動運転」の文字が認識されると車両１の運転モードが手動運転モードであると判断することができる。
【０１１０】
運転モード検出部３１０をこのように構成すると、自動運転装置１０から運転モードを取得するための情報記録装置３０との間の接続が不要となるため、より簡易に情報記録装置３０を実現することができる。
【符号の説明】
【０１１１】
１、２    車両
１０    自動運転装置
３０、３０′    情報記録装置
３１    プロセッサ
３２    メインメモリ
３３    不揮発メモリ
３４    インタフェース
３１０    運転モード検出部
３２０、３２０′    情報記録部
３２１    第１記録部
３２２    第２記録部
【図１】
2019139291.tif 000003
【図２】
2019139291.tif 000004
【図３】
2019139291.tif 000005
【図４】
2019139291.tif 000006
【図５】
2019139291.tif 000007
【図６】
2019139291.tif 000008
【図７】
2019139291.tif 000009
【図８】
2019139291.tif 000010
【図９】
2019139291.tif 000011
【図１０】
2019139291.tif 000012
【図１１】
2019139291.tif 000013